(57)【要約】【課題】  沓摺りの有無に関係なく、無調整でスゥイングドアーを取り付けることのできる新規なピボット蝶番を提供すること。【解決手段】  固定枠体に取付けられる第一部材Ａと、スゥイングドアーＣに取付けられる第二部材Ｂとからなり、前記第一部材Ａは水平な取付片１と、該取付片から一体的に延設されてその先端上面に垂直なピボット２を備えたピボット支持片３とを備え、前記第二部材Ｂは前記ピボット２を回動自在に受け入れる受け孔８を備えており、前記第一部材の水平な取付片１の下面に所定の厚みを有するスペーサー１０が着脱自在に取り付けられ、前記ピボット支持片３の先端部分の下面が床板Ｆと接するように形成されている構造。【選択図】図１
2006291545.tif 000002
【特許請求の範囲】
【請求項１】
固定枠体に取付けられる第一部材と、スゥイングドアーに取付けられる第二部材とからなり、
前記第一部材は水平な取付片と、該取付片から一体的に延設されてその先端上面に垂直なピボットを備えたピボット支持片とを備え、
前記第二部材は前記ピボットを回動自在に受け入れる受け孔を備えており、
前記第一部材の水平な取付片の下面に所定の厚みを有するスペーサーが着脱自在に取り付けられ、ピボット支持片の先端部分の下面がスペーサーの底面と同一水平面となるように形成されているピボット蝶番。
【請求項２】
前記ピボット支持片の先端部分の下面にスペーサーの底面と同一水平面となる間隙子が固着されている請求項１に記載のピボット蝶番。
【請求項３】
前記スペーサーの厚みが沓摺りの露出高さと略同じ寸法で形成されている請求項１又は請求項２に記載のピボット蝶番。
【発明の詳細な説明】
【技術分野】
【０００１】
本発明は、主として建物内部の間仕切り部分に取り付けられるスゥイングドアーに使用されるピボット調整蝶番に関するものである。
【背景技術】
【０００２】
従来、スゥイングドアーの開度を大きくするために、ピボット部分をドアーの前方側に持ち出した状態で取り付けられるピボット蝶番が知られている。このピボット蝶番では例えば特許文献１に示すように、スゥイングドアー若しくは上下の固定枠体の何れか一方に垂直なピボットが設けられ、他方にピボットを受ける受け具を設けてこの受け具の受穴にピボットの先端をはめ込むように構成されている。
【特許文献１】特開２００２−２４２５１４号公報
【発明の開示】
【発明が解決しようとする課題】
【０００３】
スゥイングドアーを取り付けるに際して、通常図６〜図８に示すように、左右の縦枠１４、１４と上枠１５による三方枠Ｅを二つの部屋の間仕切り部分に施工し、この一方の縦枠にスゥイングドアーが取付けられる。この際、二つの部屋の床板Ｆが全く同質のものであれば、床板は図６のように二つの部屋にまたがって同一平面上で敷設されるが、図７に示すように二つの部屋の床板Ｇ、Ｈが目地や色調において異なる場合、或いは板と絨毯のように素材が異なる場合には、図８に示すように「沓摺り」と呼ばれる嵌め板部材Ｄ（以下これを沓摺りという）を三方枠の下方で両床板の間にはめ込んで床板の端縁を覆い隠すようにしている。この沓摺りＤは両床板の端縁を覆い隠す必要上、両床板の平面より概ね３mm高くなっている（以下これを沓摺りの露出高さという）。
【０００４】
スゥイングドアーを取り付けるための下位側のピボット蝶番は、三方枠の下方に位置する床面又は沓摺りの上面を基準として、即ちこの上面を母体として取り付けられるため、沓摺りを取り付ける場合と取り付けない場合とでは、三方枠の高さ方向の空間が変化し、その為、沓摺りの有無で三方枠やスゥイングドアーの上下寸法を加工調整しなければならないといった面倒な作業が生じていた。
【０００５】
そこで本発明は、上記した沓摺りの有無に関係なく、無調整でスゥイングドアーを取り付けることのできる新規なピボット蝶番を提供することを主たる目的とするものである。
【課題を解決するための手段】
【０００６】
上記目的を達成する為に本発明では次のような技術的手段を講じた。即ち、本発明に係るピボット整蝶番にあっては、固定枠体に取付けられる第一部材と、スゥイングドアーに取付けられる第二部材とからなり、前記第一部材は水平な取付片と、該取付片から一体的に延設されてその先端上面に垂直なピボットを備えたピボット支持片とを備え、前記第二部材は前記ピボットを回動自在に受け入れる受け孔を備えており、前記第一部材の水平な取付片の下面に所定の厚みを有するスペーサーが着脱自在に取り付けられ、前記ピボット支持片の先端部分の下面がスペーサーの底面と同一水平面となるように形成されている構成とした。
【０００７】
前記ピボット支持片の先端部分をスペーサーの厚み分だけ下方に階段状に下げて形成することにより下面が床板と接するようにしてもよいが、ピボット支持片の下面にスペーサーの底面と同一水平面となるような間隙子を固着するようにしてもよい。
【０００８】
前記スペーサーの厚みは、後述する沓摺りの露出高さと略同じ寸法で形成されており、沓摺りの有無によってスペーサーを着脱して使用するようにした。  
【発明の効果】
【０００９】
本発明は上記の如く構成されているので、沓摺りを有しない場合にはスペーサーを水平な取付片の下面に装着させた状態で床板に取り付け、沓摺りがある場合はスペーサーを取付片から取り外した状態で沓摺りに取り付けることにより、ピボットを同じ位置に保持することができ、これにより沓摺りの有無に関係なく、スゥイングドアーをそのまま無調整で取り付けることができるといった効果がある。また水平な取付片１の先端部分の下面がスペーサーの底面と同一水平面となるように形成されているので、取り付け時にスペーサーの下面が常に床板に接して、この部分にかかるスゥイングドアー開閉時の負荷を十分に支えることができ、ピボット支持片が変形するような不都合の生じることを未然に防止することができる、といった効果がある。
【実施例】
【００１０】
図１〜図４は本発明にかかるピボット蝶番の一実施例を示すものであって、このピボット調整蝶番は、固定枠部分に取付けられる第一部材Ａと、スゥイングドアーＣに取付けられる第二部材Ｂとから構成される。
【００１１】
前記第一部材Ａは、床板Ｆ又は沓摺りＤにビス４並びにビス孔５を介して取付けられる水平な取付片１と、該取付片１から一体的にドアー方向（図２のＸ方向）に延設されてその先端上面に垂直なピボット２を備えたピボット支持片３を備えている。更に水平な取付片１から直角に折れ曲がった垂直な取付片６を備え、ビス７を介して三方枠Ｅの縦枠１４に止着できるように形成されている。
【００１２】
また、前記第二部材Ｂは前記ピボット２を回動自在に受け入れる受け孔８を備え、スゥイングドアーＣに取付ビス９を介して取り付けられる。
【００１３】
更に、前記第一部材Ａの水平な取付片１の下面に、所定の厚みを有するスペーサー１０が着脱自在に取り付けられている。本実施例では該スペーサー１０は水平な取付片１のビス４が挿通される挿通孔１１を備え、取付片１と共にビス４で沓摺りＤに止着できるようになっている。また、取付時に横ずれしないようにスペーサー１０の縁部に取付片１の周縁部分に嵌合する立上げリブ１２が設けられている。尚、スペーサー１０の厚みは、沓摺りＤの露出高さと略同じ寸法（本実施例にあっては約３mm）で形成されている。また、ピボット支持片３の先端部下面がスペーサーの底面と同一水平面となるように形成されている。本実施例ではピボット支持片３の先端部下面に、スペーサー１０の厚みと同じ厚みを有する座盤１３が固着されており、これにより床板Ｆとの間隙を埋めるように形成されている。
【００１４】
上記の如く構成されたピボット蝶番では、図３に示すように沓摺りを有しない場合にはスペーサー１０を水平な取付片１の下面に取り付けて使用される。また、図４に示すように沓摺りＤがある場合は、上記スペーサー１０を取り外して水平な取付片１を直接沓摺りＤの上面に取り付ける。この図３，図４の何れの場合もピボット２の位置は変わらないので規定寸法のスゥイングドアーをそのまま無調整で取り付けることができる。また水平な取付片１の先端部分の下面は座盤１３により床板Ｆとの間隙が埋められているので、この部分にかかるスゥイングドアー開閉時の負荷を十分に支えることができる。
【００１５】
以上本発明の実施例について説明したが、本発明は必ずしもこれらの実施例構造のみに限定されるものでない。例えば上記実施例では、前記ピボット支持片１の下面に床板Ｆとの間隙を埋める間隙子１３を固着することにより床板Ｆと接するようにしたが、これに代えて図５に示すように、ピボット支持片１の先端部分をスペーサー１０の厚み分だけ下方に階段状に下げて形成することにより床板Ｆと接するようにしてもよい。その他本発明ではその構成要件を備え、かつ本発明の目的を達成し、上記の効果を奏する範囲内において適宜改変して実施することができるものである。
【産業上の利用可能性】
【００１６】
本発明に係るピボット蝶番は間仕切り用に限らず、全てのスゥイングドアーに利用することが可能である。
【図面の簡単な説明】
【００１７】
【図１】本発明に係るピボット蝶番の一実施例を示す分解斜視図。
【図２】上記ピボット蝶番の使用例を示す斜視図であって、沓摺りのある場合を示す。
【図３】上記ピボット蝶番の使用例を示す断面図で、沓摺りのない場合を示す。
【図４】上記ピボット蝶番の使用例を示す断面図で、沓摺りのある場合を示す。
【図５】本発明に係るピボット蝶番の別の実施例を示す断面図。
【図６】三方枠と床板との関連を説明するための斜視図で、沓摺りを有しない場合を示す。
【図７】三方枠と床板との関連を説明するための斜視図で、沓摺りを嵌め込む前を示す。
【図８】三方枠と床板との関連を説明するための斜視図で沓摺りを取り付けた状態を示す。
【符号の説明】
【００１８】
Ａ  第一部材
Ｂ  第二部材
Ｃ  スゥイングドアー
Ｄ  沓摺り
Ｅ  三方枠
Ｆ  床板
１  水平な取付片
２  ピボット
３  ピボット支持片
８  受け孔
１０  スペーサー
１３  間隙子
【図１】
2006291545.tif 000003
【図２】
2006291545.tif 000004
【図３】
2006291545.tif 000005
【図４】
2006291545.tif 000006
【図５】
2006291545.tif 000007
【図６】
2006291545.tif 000008
【図７】
2006291545.tif 000009
【図８】
2006291545.tif 000010